(57)【特許請求の範囲】
【請求項１】
ハウジング内に電気機器を収容して同電気機器と外部とを電気的に接続する電気機器収容箱において、
前記電気機器からは端子金具が突出する一方、前記ハウジングの内側面には突出部が立設されその内部は前記端子金具の延び方向と直交する端子金具挿通孔となっており、かつ前記端子金具は前記突出部のスリットを介して前記端子金具挿通孔内を横切るようにしてあり、外部端子金具を前記端子金具挿通孔へ挿入すると前記端子金具と接続可能となっていることを特徴とする電気機器収容箱。
【請求項２】
請求項１に記載の電気機器収容箱において、前記端子金具は雄タブ状に形成される一方、外部端子金具は先端に接続部を有し、この接続部には前記電気機器側へ向けて開口が形成されることにより、外部端子金具が前記端子金具挿通孔へ挿入する過程で、前記端子金具が開口を通して前記接続部内に形成された舌片と接続されることを特徴とする電気機器収容箱。
【請求項３】
請求項１に記載の電気機器収容箱において、前記外部端子金具は後端に電線を導出されるとともに、同電線に防水ゴム栓を装着して前記端子金具挿通孔との間に水密面を形成していることを特徴とする電気機器収容箱。
【発明の詳細な説明】
【０００１】
【発明の属する技術分野】
本発明は、電気機器収容箱に関し、特に、ハウジング内に電気機器を収容して同電気機器と外部とを電気的に接続する電気機器収容箱に関する。
【０００２】
【従来の技術】
従来、この種の電気機器収容箱を適用した電動ミラーのパワーユニットとして、図６に示す実開昭６３−１５５２７５号公報に示すものが知られている。
同図において、ハウジングとなるロアケース１は浅皿状に形成されており、内部に駆動力を発生する二つのモータ２，２を収容している。ロアケース１の内底面には一端を同モータ２，２の端子金具２ａに接続されるプリント回路３ａ〜３ｃを形成してあり、同プリント回路３ａ〜３ｃの他端は当該ロアケース１の縁部まで配設されている。当該ロアケース１の縁部には外部コネクタ４と嵌合接続可能なコネクタ部５を形成してあり、プリント回路３ａ〜３ｃの終端部分はこのコネクタ部５に保持される端子金具６ａ〜６ｃに接続されている。
【０００３】
【発明が解決しようとする課題】
上述した従来の電気機器収容箱においては、モータ２からコネクタ部５へと至る間に必然的に中間配線が必要となるという課題があった。
本発明は、上記課題に鑑みてなされたもので、中間配線をなくして構成をより簡易にすることが可能な電気機器収容箱の提供を目的とする。
【０００４】
【課題を解決するための手段】
上記目的を達成するため、請求項１に係る発明は、ハウジング内に電気機器を収容して同電気機器と外部とを電気的に接続する電気機器収容箱において、前記電気機器からは端子金具が突出する一方、前記ハウジングの内側面には突出部が立設されその内部は前記端子金具の延び方向と直交する端子金具挿通孔となっており、かつ前記端子金具は前記突出部のスリットを介して前記端子金具挿通孔内を横切るようにしてあり、外部端子金具を前記端子金具挿通孔へ挿入すると前記端子金具と接続可能となっている構成としてある。
【０００５】
また、請求項２に係る発明は、請求項１に記載の電気機器収容箱において、前記端子金具は雄タブ状に形成される一方、外部端子金具は先端に接続部を有し、この接続部には前記電気機器側へ向けて開口が形成されることにより、外部端子金具が前記端子金具挿通孔へ挿入する過程で、前記端子金具が開口を通して前記接続部内に形成された舌片と接続される構成としてある。
さらに、請求項３に係る発明は、請求項１に記載の電気機器収容箱において、前記外部端子金具は後端に電線を導出されるとともに、同電線に防水ゴム栓を装着して前記端子金具挿通孔との間に水密面を形成している構成としてある。
【０００７】
【作用】
上記のように構成した請求項１及び請求項２に係る発明においては、ハウジング内に電気機器を収容しつつ端子金具挿通孔にて同電気機器の端子金具を保持せしめ、この状態で同端子金具挿通孔に外部から外部端子金具を挿通せしめると、当該外部端子金具は同端子部に接続される。
【０００９】
さらに、上記のように構成した請求項３に係る発明においては、外部端子金具を端子金具挿通孔に挿入すると、後端に接続された電線は当該端子金具挿通孔より導出されるが、同電線には防水ゴム栓を装着してあるので端子金具挿通孔との間に水密面を形成し、外部からの浸水を防止する。
【００１０】
【発明の効果】
以上説明したように請求項１および請求項２に係る発明は、外部端子金具が電気機器と直に接続されるため、中間配線を必要とせず、構成を簡易にすることが可能な電気機器収容箱を提供することができる。
【００１１】
また、請求項３に係る発明によれば、防水をも図ることができる。
【００１２】
【発明の実施の形態】
以下、図面に基づいて本発明の実施形態を説明する。
図１は、本発明の一実施形態に係る電気機器収容箱を適用した電動ドアミラーのベースユニットを側面図により示している。
【００１３】
同図において、ハウジングとなるベースユニット１０は、一対のケース部材を構成するアッパケース２０とロアケース３０とから構成されている。アッパケース２０とロアケース３０はそれぞれ概略皿状に形成され、アッパケース２０の天井面２１とロアケース３０の底面３１との周囲から延設された側壁面２２，３２の端部同士を突き合わせて概略薄箱体を構成している。なお、側壁面２２，３２の端部は互いに入れ子状になって対面するため、簡易的な防水構造となっている。また、側壁面２２，３２の外面には楔形の突起３３とロックアーム２３とを備えており、両者を係合せしめて固定可能となっている。
【００１４】
本実施形態においては、ケーシングとして電動ドアミラーのベースユニット１０に適用しているが、内部に電気機器を収容して外部との電線路を形成する必要があるような筺体であればよく、パワーアンテナユニット、オーディオ機器など各種の収容箱に適用可能である。
ロアケース３０には、図２に示すように、二つのモータ４０，４０を収容可能となっており、モータ４０のケーシング４１外形に対応して形成したリブ３４にて、同モータ４０を寝かせた状態で位置ずれ不能に保持するとともに、上方から覆蓋されるアッパケース２０との間に挟み込んで固定できるようになっている。各モータ４０の後端面には水平に突出する端子金具４２，４２を備えており、ロアケース３０には上記リブ３４と連続して下面に開口する筒状に形成されつつ同端子金具４２，４２を当該筒内に突出せしめて保持する端子金具挿通孔３５，３５を形成してある。図３〜図５参照。
【００１５】
端子金具挿通孔３５は、ロアケース３０内側面に突出する部分においてモータ４０の後端面に沿って立設され、上端から下方に向けてモータ４０の後端面から突出する端子金具４２を挿入可能なスリット３５ａを形成してある。モータ４０の端子金具４２自体は雄タブ状に形成されるとともに、表裏面が端子金具挿通孔３５の軸芯方向と平行となっており、ロアケース３０の上方からモータ４０を装着するときに、同端子金具挿通孔３５と直交するように突き出る端子金具４２はスリット３５ａの上端より挿入され、同端子金具挿通孔３５内を横切るようにして保持される。また、端子金具挿通孔３５は、ロアケース３０の下面から突出する筒部３５ｂを有しており、当該筒部３５ｂはロアケース３０の内側部分よりも大径となるように形成してある。
【００１６】
外部端子金具５０は、後端に電線６０とゴム栓７０とを圧着接続されており、先端の接続部５１の側から上記端子金具挿通孔３５内に挿入可能となっている。接続部５１は断面コの字形となるように屈曲して形成されており、相対面する両側壁には先端側から後端側に向けて互いに内側に折り返すように形成した二枚の舌片５１ｂ，５１ｂを備えている。従って、外部端子金具５０をその開口側をモータ４０の後端面の側に向けた状態として端子金具挿通孔３５内に挿入せしめると、孔奥で突き出ているモータ４０の端子金具４２が接続部５１先端から舌片５１ｂ，５１ｂの間に押し込まれ、電気的に導通する。また、接続部５１の残りの側壁面には挿入方向後方側に切り起こした金属ランス５１ｃを形成してあり、端子金具挿通孔３５内周壁面に形成した段部３５ｃに係合可能となっている。
【００１７】
本実施形態においては、電気機器としてモータ４０を使用しているが、外部と電気的に接続する必要があるものであれば何でも良く、例えば、リレー、ヒューズ、電気基板など、どのようなものであっても良い。また、モータ４０はその後端に端子金具４２を突出して保持しているが、必ずしも金具を備えないでリード線だけを備えるような場合においては、同リード線の先端に金具を装着して同金具を固定して保持するようにしても良いし、あるいはリード線を端子金具挿通孔３５と直交して保持しておいて外部端子金具５０の先端に圧接刃を形成しておき、圧接接続するようにしても良い。むろん、端子金具４２のような電気機器の端子を直に使用する場合には中間配線が完全になくなり、最も効率的となる。
【００１８】
端子金具挿通孔３５は外部端子金具５０を外部から挿通可能であるとともに孔奥にモータ４０の端子金具４２を保持して互いに接続可能となっているものであればよい。従って、その挿通方向、内部形状などについては適宜変形可能である。むろん、外部端子金具５０は端子金具４２に対応して適宜変形可能であり、端子金具４２を挟み込むものではなく、端子金具４２を側壁面に沿って配設し、舌片をこの端子金具４２の表面に押し付けて接続するような構成としても良い。
【００１９】
なお、外部端子金具５０を端子金具挿通孔３５内に挿通せしめたとき、後端に装着されているゴム栓７０は大径の筒部３５ｂ内に押し込まれ、内側の電線６０との間に水密面を形成する。本実施形態においては、防水のためにゴム栓７０を使用しているが、防水不要であればゴム栓７０も必要ではないし、防水が必要な場合に、他の防水方法を採用することもできる。また、ゴム栓７０を電線６０と同時に圧着接続しているが、必ずしも同時に圧着する必要はなく、ゴム栓７０だけを電線にとおしておいてもよい。
【００２０】
次に、上記構成からなる本実施形態の動作を説明する。
ロアケース３０の上面にモータ４０，４０と他の必要構成部品、例えば、ギアなどを装着し、アッパケース２０を覆蓋する。モータ４０を装着するときには必然的に後端の端子金具４２，４２が端子金具挿通孔３５の上端からスリット３５ａ内に押し入れられ、同端子金具挿通孔３５内に対して自然に装着される。
ハウジングとなるベースユニットが組み立てられたらロアケース３０下面に開口する端子金具挿通孔３５内に外部端子金具５０を挿入する。外部端子金具５０を挿入していくと孔奥に突出して保持されている端子金具４２が同外部端子金具５０の二枚の舌片５１ｂ，５１ｂ間に押し入れられ、挟み込まれて導通する。また、防水ゴム栓７０は当該端子金具挿通孔３５から導出される電線６０と同端子金具挿通孔３５の内周壁面との間に水密面を形成し、浸水するのを防止する。
【００２１】
このように、ハウジングを構成するロアケース３０には内部に収容する電気機器であるモータ４０の端子部としての端子金具４２を保持しつつ外部端子金具５０を挿入可能な端子金具挿通孔３５を形成してあり、外部から外部端子金具５０を挿入させると電気機器の端子部と直付けでき、中間の配線を不要とすることができる。
【図面の簡単な説明】
【図１】本発明の一実施形態に係る電気機器収容箱を適用した電動ドアミラーのベースユニットの側面図である。
【図２】ロアケースの平面図である。
【図３】ロアケースの底面図である。
【図４】ロアケースの部分断面図である。
【図５】方向を変えてみたロアケースの部分断面図である。
【図６】従来の電気機器収容箱を適用した電動ドアミラーのベースユニットの斜視図である。
【符号の説明】
１０…ベースユニット
２０…アッパケース
３０…ロアケース
３５…端子金具挿通孔
３５ａ…スリット
４０…モータ
４２…端子金具
５０…外部端子金具
５１…接続部
６０…電線
７０…ゴム栓
【図１】
0003591609.tif 000002
【図２】
0003591609.tif 000003
【図３】
0003591609.tif 000004
【図４】
0003591609.tif 000005
【図５】
0003591609.tif 000006
【図６】
0003591609.tif 000007